(57)【要約】  【課題】  緩衝性と防水性を有すると共に、紙質シートとバブルシートとを確実に分離して容易にリサイクルすることが可能な封筒を提供する。  【解決手段】  ２つ折りした紙質シート１ａ、１ｂの間に２つ折りしたプラスチック製のバブルシート２ａ、２ｂを介在させ、紙質シートと、バブルシートの各々の折り曲げ箇所１ｃ、２ｃが封筒の底部を形成していると共に、封筒の開口縁部を形成する紙質シートとバブルシートとの間にテープ状の接着剤４を介在させて、開口縁部３の紙質シートとバブルシートとが接着されており、封筒１０の縦方向の両縁部は、バブルシート同士と、紙質シートとバブルシート間とを熱溶着させてなる熱溶着部５ａ、５ｂが形成されているものであって、テープ状の接着剤４は、バブルシートに対して容易に剥離可能とした。【選択図】図１
2019006496.tif 000002
【特許請求の範囲】
【請求項１】
２つ折りした紙質シートの間に２つ折りしたプラスチック製のバブルシートを介在させ、前記紙質シートと、前記バブルシートの各々の折り曲げ箇所が封筒の底部を形成していると共に、
封筒の開口縁部を形成する前記紙質シートと前記バブルシートとの間にテープ状の接着剤を介在させて、前記開口縁部の前記紙質シートと前記バブルシートとが接着されており、
封筒の縦方向の両縁部は、前記バブルシート同士と、前記紙質シートと前記バブルシート間とを熱溶着させてなる熱溶着部が形成されているものであって、
前記テープ状の接着剤は、前記バブルシートに対して容易に剥離可能であることを特徴とする封筒。
【請求項２】
紙質シートの一方の端部には、折り返し部が形成されていることを特徴とする請求項１に記載の封筒。
【請求項３】
紙質シートの折り返し部には、開封テープ片が接着されていると共に、前記開封テープ片の両端部には切り込み部が形成されていることを特徴とする請求項２に記載の封筒。
【請求項４】
テープ状の接着剤にはアクリル酸ブチルが含まれていることを特徴とする請求項１〜３のいずれか１項に記載の封筒。
【請求項５】
長尺な紙質シートと長尺なプラスチック製のバブルシートを、前記紙質シートのみからなる折り返し部を残して重ね合わせると共に、前記紙質シートと前記バブルシートの所定の２箇所に、前記バブルシートに対して容易に剥離可能なテープ状の接着剤を介在させて一体化された長尺なシート体を形成する第１の工程と、
前記シート体を短手方向に折り曲げて、長尺な折り曲げシート体を形成する第２の工程と、
前記折り曲げシート体の短手方向を所定の間隔で熱溶着して前記バブルシート同士と、前記紙質シートと前記バブルシート間とを熱溶着させて所定幅の熱溶着部を形成する第３の工程と、
前記熱溶着部の幅方向の中央位置で、前記折り曲げシート体を短手方向に切断する第４の工程と、を有することを特徴とする封筒の製造方法。
【請求項６】
第３の工程と第４の工程の間に、折り返し部に開封テープを接着する工程を有することを特徴とする請求項５に記載の封筒の製造方法。
【請求項７】
折り返し部に開封テープを接着する工程と第４の工程の間に、開封テープ近傍の所定箇所に切り込み部を形成する工程を有することを特徴とする請求項６に記載の封筒の製造方法。
【発明の詳細な説明】
【技術分野】
【０００１】
本発明は、緩衝性と防水性を備え、プラスチック類と紙類との分離が容易であるリサイクル性に優れた封筒及びこの封筒の製造方法に関するものである。
【背景技術】
【０００２】
従来から、プラスチック類と紙類とを分離可能にした封筒に関する発明は知られている（特許文献１）。
【０００３】
特許文献１に記載の封筒の発明は、図６に示すように、対向する紙質シート２１、２２の間に、２枚に重ねたプラスチック製のバブルシート２３、２３を全面に介在させ、封筒の開口縁となる縁部２４以外の重なり合う開放縁全長を、前記バブルシート２３、２３同士を熱溶着させるとともに、前記各紙質シート２１、２２とバブルシート２３間も熱溶着させて密閉し、前記開口縁となる縁部２４の各紙質シート２１、２２とバブルシート２３との間に接着剤２０を介在させ、この開口縁となる縁部２４全長の各紙質シート２１、２２とバブルシート２３とを熱溶着したものであった。
【０００４】
この特許文献１に記載の発明は、緩衝性と防水性を有すると共に、リサイクル可能な封筒を提供するものであった。
【先行技術文献】
【特許文献】
【０００５】
【特許文献１】特許第２９７８１６１号公報
【発明の概要】
【発明が解決しようとする課題】
【０００６】
しかしながら、上記特許文献１に記載の封筒は、封筒の開口縁となる縁部の各紙質シートとバブルシートとの間に接着剤を介在させると共に、熱溶着も施していることから、紙質シートとバブルシートとを分離する時に、バブルシート側に紙質シートの一部が付着した状態で残り、きれいに分離することができないという課題を有していた。
【０００７】
本発明は、上述した問題点を解決するためになされたものであり、緩衝性と防水性を有すると共に、紙質シートとバブルシートとを確実に分離して容易にリサイクルすることが可能な封筒及びこの封筒の製造方法を提供することを目的とする。
【課題を解決するための手段】
【０００８】
請求項１の封筒の発明は、２つ折りした紙質シートの間に２つ折りしたプラスチック製のバブルシートを介在させ、前記紙質シートと、前記バブルシートの各々の折り曲げ箇所が封筒の底部を形成していると共に、封筒の開口縁部を形成する前記紙質シートと前記バブルシートとの間にテープ状の接着剤を介在させて、前記開口縁部の前記紙質シートと前記バブルシートとが接着されており、封筒の縦方向の両縁部は、前記バブルシート同士と、前記紙質シートと前記バブルシート間とを熱溶着させてなる熱溶着部が形成されているものであって、前記テープ状の接着剤は、前記バブルシートに対して容易に剥離可能であることを特徴としている。
【０００９】
請求項１の封筒は、封筒の縦方向の両縁部のみに熱溶着部が形成されており、封筒の開口縁部にはバブルシートに対して容易に剥離可能なテープ状の接着剤が使用されている。したがって、紙質シートとバブルシートとを分離する時に、テープ状の接着剤は紙質シートに付着した状態となり、バブルシート側に紙質シートの一部が付着した状態で残ることを防ぐことができ、緩衝性と防水性を有すると共に、紙質シートとバブルシートとを確実に分離して容易にリサイクルすることが可能な封筒を提供することができる。
【００１０】
請求項２の発明は、請求項１の発明において、紙質シートの一方の端部には、折り返し部が形成されていることを特徴としている。したがって、封筒で手紙等を送る場合に、折り返し部によって、開口縁部を確実に塞ぐことができる。
【００１１】
請求項３の発明は、請求項１又は２の発明において、紙質シートの折り返し部には、開封テープ片が接着されていると共に、前記開封テープ片の両端部には切り込み部が形成されていることを特徴としている。したがって、一方の端部に形成されている切り込み部から開封テープ片を起こして他方の端部まで導いていくことによって封筒を容易に開封することができる。
【００１２】
請求項４の発明は、請求項１〜３のいずれかの発明において、テープ状の接着剤にはアクリル酸ブチルが含まれていることを特徴としている。アクリル酸ブチルが含まれているテープ状の接着剤は、通常の使用、つまり、封筒に内容物を入れて輸送する場合であって封筒内で内容物が揺れた場合でも接着箇所から剥がれることは無く、強接着性を保つことができる。一方、封筒を紙質シートとバブルシートとに分離する場合には、作業者の手で適度な外力を加えることにより容易に分離することができる。したがって、安価な材料によって、紙質シートとバブルシートとを確実に分離することができる。
【００１３】
請求項５の封筒の製造方法の発明は、長尺な紙質シートと長尺なプラスチック製のバブルシートを、前記紙質シートのみからなる折り返し部を残して重ね合わせると共に、前記紙質シートと前記バブルシートの所定の２箇所に、前記バブルシートに対して容易に剥離可能なテープ状の接着剤を介在させて一体化された長尺なシート体を形成する第１の工程と、前記シート体を短手方向に折り曲げて、長尺な折り曲げシート体を形成する第２の工程と、前記折り曲げシート体の短手方向を所定の間隔で熱溶着して前記バブルシート同士と、前記紙質シートと前記バブルシート間とを熱溶着させて所定幅の熱溶着部を形成する第３の工程と、前記熱溶着部の幅方向の中央位置で、前記折り曲げシート体を短手方向に切断する第４の工程と、を有することを特徴としている。
【００１４】
請求項５の封筒の製造方法は、テープ状の接着剤と熱溶着とによって、紙質シート及びバブルシートの一体化がなされると共に、封筒の開口縁部に熱溶着部が形成されないようにすることができるので、緩衝性と防水性を有すると共に、紙質シートとバブルシートとを確実に分離して容易にリサイクルすることが可能な封筒を容易に大量生産することができる。
【００１５】
請求項６の発明は、請求項５の発明において、第３の工程と第４の工程の間に、折り返し部に開封テープを接着する工程を有することを特徴としている。したがって、開封テープによって、容易に開封することが可能な封筒を大量生産することができる。
【００１６】
請求項７の発明は、請求項６の発明において、折り返し部に開封テープを接着する工程と第４の工程の間に、開封テープ近傍の所定箇所に切り込み部を形成する工程を有することを特徴としている。したがって、切り込み部から開封テープを容易に起こすことができ、開封テープによって、容易に開封することが可能な封筒を大量生産することができる。
【発明の効果】
【００１７】
請求項１の封筒の発明は、緩衝性と防水性を有すると共に、紙質シートとバブルシートとを確実に分離して容易にリサイクルすることが可能な封筒を提供することができる。また、請求項２の発明は、折り返し部によって、開口縁部を確実に塞ぐことができる。また、請求項３の発明は、封筒を容易に開封することができる。さらに、請求項４の発明は、安価な材料によって、紙質シートとバブルシートとを確実に分離することができる。
【００１８】
請求項５の封筒の製造方法の発明は、緩衝性と防水性を有すると共に、紙質シートとバブルシートとを確実に分離して容易にリサイクルすることが可能な封筒を容易に大量生産することができる。また、請求項６及び７の製造方法の発明は、開封テープによって、容易に開封することが可能な封筒を大量生産することができる。
【図面の簡単な説明】
【００１９】
【図１】（ａ）本発明に係る封筒を示す斜視図。（ｂ）同断面図。
【図２】本発明に係る封筒を示す一部拡大断面図。
【図３】本発明に係る封筒の製造工程を示す説明図。
【図４】本発明に係る封筒の製造工程を示す説明図。
【図５】本発明に係る封筒の製造工程を示す説明図。
【図６】従来の封筒を示す断面図。
【発明を実施するための形態】
【００２０】
次に、本発明の実施形態を図面に基づいて説明する。図１（ａ）は、本発明に係る封筒を示す斜視図であり、図１（ｂ）は、本発明に係る封筒を示す断面図である。また、図２は、本発明に係る封筒を示す一部拡大断面図である。これらの図を用いて本発明に係る封筒について以下に説明する。
【００２１】
本発明に係る封筒１０は、２つ折りした紙質シート１ａ、１ｂの間に２つ折りしたプラスチック製のバブルシート２ａ、２ｂを介在させ、紙質シート１ａ、１ｂと、バブルシート２ａ、２ｂの各々の折り曲げ箇所１ｃ、２ｃが封筒の底部を形成している。
【００２２】
封筒１０の開口縁部３を形成する紙質シート１ａ、１ｂとバブルシート２ａ、２ｂとの間にテープ状の接着剤４を介在させて、開口縁部３の紙質シート１ａ、１ｂとバブルシート２ａ、２ｂとが接着されている。テープ状の接着剤４は、プラスチック製のバブルシート２ａ、２ｂに対して容易に剥離可能なものを使用しており、一例として、アクリル酸ブチルが含まれているテープ状の接着剤を挙げることができる。
【００２３】
封筒１０の縦方向の両縁部は、バブルシート２ａ、２ｂ同士と、紙質シート１ａ、１ｂとバブルシート２ａ、２ｂ間とを熱溶着させてなる熱溶着部５ａ、５ｂが形成されている。
【００２４】
上述したとおり、本発明に係る封筒１０は、熱溶着部５ａ、５ｂが、封筒１０の縦方向の両縁部のみに形成されており、従来の封筒のように封筒の底部や、開口縁部に熱溶着部が形成されていない。したがって、封筒１０の分解時に、開口縁部３の中央を掴んで紙質シート１ａ、１ｂを底部１ｃ方向に剥がして行くことにより、封筒１０の縦方向の両縁部に均等に力が加わることから、紙質シート１ａ、１ｂが途中で破れることなく、きれい且つ容易に、紙質シート１ａ、１ｂとバブルシート２ａ、２ｂを分離することができる。
【００２５】
尚、封筒１０の紙質シート１ｂの端部には、折り返し部６が形成されており、この折り返し部６には、開封テープ片７が接着されていると共に、開封テープ片７の両端部には切り込み部８ａ、８ｂが形成されている。これにより、封筒１０で手紙等を送る場合に、折り返し部６によって、開口縁部３を確実に塞ぐことができ、封筒１０を開封する場合に、一方の端部に形成されている切り込み部８ａ（又は８ｂ）から開封テープ片７を起こして他方の端部に形成されている切り込み部８ｂ（又は８ａ）まで導いていくことによって封筒１０を容易に開封することができる。また、図示していないが、折り返し部６には、封かん用の両面接着テープと、この両面接着テープを覆うカバーテープを貼付してもよい。
【００２６】
図３〜図５は、本発明に係る封筒の製造工程を示す説明図である。これらの図を用いて本発明に係る封筒の製造方法について以下に説明する。
【００２７】
図３（ａ）は、本発明に係る封筒の製造方法の第１の工程を示す説明図であり、図３（ｂ）は、図３（ａ）の矢印Ａ側から一体化された長尺なシート体９を見た平面図である。第１の工程では、長尺な紙質シート１１とプラスチック製の長尺なバブルシート１２を、長尺な紙質シート１１のみからなる折り返し部１１ａを残して重ね合わせると共に、長尺な紙質シート１１と長尺なバブルシート１２の所定の２箇所に、長尺なバブルシート１２に対して容易に剥離可能なテープ状の接着剤４、４を介在させて一体化された長尺なシート体９が形成される。尚、図示していないが上記第１の工程時に、折り返し部１１ａに封かん用の両面接着テープと、この両面接着テープを覆うカバーテープを貼付する工程を含ませることもできる。
【００２８】
次に、第２の工程では、図４（ａ）に示すように、第１の工程で形成されたシート体９を短手方向に折り曲げて、長尺な折り曲げシート体１３が形成される。
【００２９】
次に、第３の工程では、図４（ｂ）に示すように、折り曲げシート体１３の短手方向を所定の間隔で熱溶着してバブルシート１２、１２同士と、紙質シート１１とバブルシート１２間とを熱溶着させて所定幅の熱溶着部１４、１４・・が形成される。尚、第３の工程の後に、折り返し部１１ａに開封テープ７を接着する工程を設けることができる。
【００３０】
次に、第４の工程では、図５に示すように、熱溶着部１４の幅方向の中央位置１４ａで、折り曲げシート体１３を短手方向に切断して、封筒１０が製造される。尚、折り返し部１１ａに開封テープ７を接着する工程と、第４の工程の間に、開封テープ７近傍の所定箇所に切り込み部１５を形成する工程を設けることができる。また、切り込み部１５の形成と同時に切欠き１６を形成することもでき、この切欠き１６の形成時に発生する切欠き片１７は除去される。
【００３１】
上述のように、本発明に係る封筒の製造方法は、テープ状の接着剤４と熱溶着とによって、紙質シート及びバブルシートの一体化がなされると共に、封筒の開口縁部に熱溶着部が形成されないようにすることができるので、緩衝性と防水性を有すると共に、紙質シートとバブルシートとを確実に分離して容易にリサイクルすることが可能な封筒１０を容易に大量生産することができる。
【産業上の利用可能性】
【００３２】
本発明の封筒及び封筒の製造方法は、緩衝性と防水性を備え、プラスチック類と紙類との分離が容易であるリサイクル性に優れた封筒及びこの封筒の製造方法として使用される。
【符号の説明】
【００３３】
１ａ、１ｂ  紙質シート
１ｃ、２ｃ  折り曲げ箇所
２ａ、２ｂ  バブルシート
３  開口縁部
４  テープ状の接着剤
５ａ、５ｂ、１４  熱溶着部
６、１１ａ  折り返し部
７  開封テープ片
８ａ、８ｂ  切り込み部
９  長尺なシート体
１０  封筒
１１  長尺な紙質シート
１２  長尺なバブルシート
１３  長尺な折り曲げシート体
１４ａ  熱溶着部の幅方向の中央位置
【図１】
2019006496.tif 000003
【図２】
2019006496.tif 000004
【図３】
2019006496.tif 000005
【図４】
2019006496.tif 000006
【図５】
2019006496.tif 000007
【図６】
2019006496.tif 000008